(57)【要約】      （修正有）【課題】簡単な構造で所要の大きさに連結可能で涼感が得られる涼感マット構造を提供する。【解決手段】マット筐体２０と、熱伝導封止シート２４と、スポンジブロック６０とを備え、マット筐体は、内部に貯水空間を形成すると共に上縁外周に他のマット構造１０と結合するためのジョイント部２１が設けられ、マット筐体四辺内周に多数の縦突条の補強リブ２５を設けてネジ２７穴を介して熱伝導封止シート２４を締結すると共にゴムテープを配置した密封溝２６により該貯水空間を封止し、貯水空間の一側辺に水の出入口２９と封止蓋３０が設け、貯水空間内中心部には熱伝導片４０を囲む多数の固定角柱３１を配置し、固定角柱の両側に多数のスポンジブロック６０が設けて水を含侵させたスポンジブロック６０を介して熱伝導封止シート２４から体熱を貯留水に伝導して涼感を得る。【選択図】図３
0003228210.tif 000002
【実用新案登録請求の範囲】
【請求項１】
マット筐体と、熱伝導シートと、水を含侵するスポンジブロックとを含み、
該マット筐体は、四辺外周に他の涼感マット構造と結合するための結合孔を設けたジョイント部が設けられ、
内部には貯水空間を形成し、
該貯水空間内の四辺の側壁に多数の縦突条の補強リブを設けてその上端に熱伝導封止シートを締結するためのネジ穴を設けると共にマット筐体上縁に該ネジ穴を巡る密封溝を該貯水空間を囲ん設けて熱伝導封止シートを該ネジ穴を介して締結して該密封溝に配置したゴムテープにより貯水空間を封止し、
該貯水空間内のマット筐体一側辺に水の出入口と、密封パッキンと、密封蓋とを設け、
該貯水空間内の中心部に上記熱伝導片を囲む多数の固定角柱を設け、その両側に上記スポンジブロックを多数配置して、
上記熱伝導封止シートから熱伝導片及びスポンジブロックを経てマット筐体内の貯留水に熱を伝動せしめる、
ことを特徴とする涼感マット構造。
【請求項２】
前記ジョイント部に連接部を配置して締結することにより、涼感マット構造をジョイントして背もたれマットとすることができることを特徴とする請求項１の涼感マット構造。
【請求項３】
前記多数の涼感マット構造は、組み合わせてマットレスにすることができることを特徴とする請求項１の涼感マット構造。
【請求項４】
前記熱伝導封止シートは、楔型ネジによって補強リブにあるネジ穴に締め付けられることを特徴とする請求項１の涼感マット構造。
【請求項５】
前記多数の固定角柱の高さは、熱伝導片の高さの半分以上の高さとしたことを特徴とする請求項１の涼感マット構造。
【請求項６】
前記スポンジブロックの長さは貯水空間の長さより長くしたことを特徴とする請求項１の涼感マット構造。
【考案の詳細な説明】
【技術分野】
【０００１】
本考案は涼感マット構造に関し、特にジョイントでき、環境に優しいといった特徴がある涼感マット構造に関する。
【背景技術】
【０００２】
一般的な涼感マットは割竹より作られ、割竹涼感マットは多数の割竹チップを多数の経線紐で綴って組み合わせてなり、きれいに割竹チップを整列した後、縁材で囲んでマットの原型を整えた後、後詰めの周辺板と縁綴じのミシンかけによって完成される。しかし、仕切りテープと周辺テープは一般的に硬質のプラスチックで作られてから、穴を開けて製作されるため、体と接触する時は硬い材質による圧迫感が顕著である。またしばらく使った後、硬化して折れる状況が生じやすく、さらに周辺テープの末端はちくちくと接触するため、不愉快を感じさせるばかりか、衣服を破ったり、使用者を傷つけたりする可能性もあるため、実用的ではない。
【０００３】
このほか、ゴム材質で作られた仕切りテープと周辺テープもあり、使用上において少し快適になるが、涼感マットに座ったり背もたれしたりする時は折り曲げられることになるため、該ゴム製の仕切りテープと周辺テープは貫通する紐によって破損されると同時に、ゴムは長期間の使用においては硬化して折れて壊れ易いため、該涼感マットの耐久性が悪く、マットとしての機能に限られ、ジョイントして背もたれとマットレスになれない、熱交換の効率が悪く、環境にも優しくない。
【先行技術文献】
【特許文献】
【０００４】
【特許文献１】特開２００７−７３７８号公報
【特許文献２】特開平１０−９４４５９号公報
【考案の概要】
【考案が解決しようとする課題】
【０００５】
本考案が解決しようとする課題は、従来技術に存在する上述の欠点について解決し、製造と組み立てが簡単で、直接にかつ速やかに熱伝導して熱交換作用により涼感が得られ、使用者はすぐに熱交換効果が感じられる涼感マット構造を提供する。
【課題を解決するための手段】
【０００６】
本考案の涼感マット構造は、マット筐体と、熱伝導シートと、含水性のスポンジブロックとを含む。該マット筐体の外周に他のマット構造体と結合するためのジョイント部が設けられ、ジョイント部に結合孔が設けられる。マット筐体の内部には貯水空間が形成され、貯水空間の上方に熱伝導封止シートが設けられ、貯水空間内のマット筐体四辺に多数の凸条からなる補強リブが設けられ、補強リブに密封溝とネジ穴が設けられる。密封溝内にゴムテープを配置し、貯水空間の一側辺に水の出入口と、密封パッキンと、密封蓋とが設けられる。貯水空間内の中心部に熱伝導片を囲む多数の固定角柱が設けられ、また、それらの両側に多数のスポンジブロックが設けられる。
【考案の効果】
【０００７】
ジョイント部に連接部を配置して他の冷感マット構造と連結して締結することにより、複数の涼感マット構造をジョイントして適宜の寸法にすることにより背もたれマットになる。
さらに、これら多数の涼感マット構造は組み合わせてマットレスにすることができる。  
【図面の簡単な説明】
【０００８】
【図１】図１は、本考案に係る涼感マット構造と連接部を示す立体図である。
【図２】図２は、本考案のマットを示す立体図である。
【図３】図３は、本考案の涼感マット構造を示す分解図である。
【図４】図４は、本考案のマットの平面図である。
【図５】図５は、本考案の涼感マット構造が貯水した断面図である。
【図６】図６は、本考案のスポンジブロックが盛り上がって熱伝導封止シートとの接触を示す図である。
【図７】図７は、本考案の連接部をジョイントして背もたれにすることを示す図である。
【図８】図８は、本考案を配列してマットレスにすることができることを示す図である。
【考案を実施するための形態】
【０００９】
以下に図面を参照して本願考案の具体的形態を説明する。
【実施例１】
【００１０】
まず、図１から図６を参照されたい。本考案の涼感マット構造は、マット筐体２０と、熱伝導シート４０と、スポンジブロック６０とを含む。該マット筐体２０四辺外周を囲んでジョイント部２１が設けられ、ジョイント部２１に他のマット構造とを連結するための結合孔２２が設けられる。マット筐体２０の内部は凹んで貯水空間２３を形成し、貯水空間２３の上方に熱伝導封止シート２４が設けられ、貯水空間２３内のマット筐体２０の四辺内周に多数の縦向きの突条からなる補強リブ２５が設けられ、補強リブ２５にネジ穴２７が設けられると共に該ネジ穴を巡ってジョイント部２１には貯水空間２３を囲む密封溝２６が設けられる。
上記熱伝導封止シート２４は、該ネジ穴によりマット筐体２０に締結され、密封溝２６内に配置されたゴムテープ２８により貯水空間を封止する。
マット筐体２０内の貯水空間２３の一側辺に水の出入口２９と、密封パッキン２９１と、密封蓋３０とが設けられる。
貯水空間２３内の中心部には多数の固定角柱３１が設けられ、これらの固定角柱３１の囲む内側に熱伝導片４０が設けられ、固定角柱３１の両側には多数のスポンジブロック６０が設けられる。
【００１１】
図７（図１も）を参照されたい。
複数のマット１０の前記ジョイント部２１に連接部５０を配置して相互に締結することにより、これらの涼感マット構造１０をジョイントして拡大し、適宜の大きさの背もたれマット７０にすることができる。
【００１２】
図８を参照されたい。さらに多数の涼感マット構造１０を組み合わせてサイズアップすることによりマットレスとすることができる。
以上において、前記熱伝導封止シート２４は、楔型ネジによって補強リブ２５にあるネジ穴２７に締め付けられる。
前記多数の固定角柱３１の高さは熱伝導片４０の高さの半分以上の高さとする。
該スポンジブロック６０の長さは、貯水空間２３の長さより長くする。
【００１３】
以上の構成によって、前記貯水空間２３内に貯水した後、スポンジブロック６０は貯留した水と熱伝導封止シート２４と熱伝導片４０の熱伝導体になり、スポンジブロック６０の長さは貯水空間２３の長さより長いため、該スポンジブロック６０を貯水空間２３内にセットすると、中段部分は盛り上がって熱伝導封止シート２４と接触する。スポンジブロック６０の毛細菅作用により、熱伝導封止シート２４の熱は貯水と交換することで、使用者が涼感マット構造１０上に座ったり、横になったりする時、使用者の体熱は熱伝導封止シート２４、熱伝導片４０とスポンジブロック６０によって貯水に伝導され、さらに貯水によって使用者の体熱を放散させると、冷房または扇風機を介さなくても体熱を放散する目的を達せる。
本考案は構造が簡単で、マット、足踏みマット、背もたれマット、涼感マット、マットレスなどの機能を有し、また熱交換の効率が高く、環境にも優しい効果がある。
【００１４】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１５】
１０        涼感マット構造
２０        マット筐体
２１        ジョイント部
２２        結合孔
２３        貯水空間
２４        熱伝導封止シート
２５        補強リブ
２６        密封溝
２７        ネジ穴
２８        ゴムテープ
２９        水の出入口
２９１      密封パッキン
３０        密封蓋
３１        固定角柱
４０        熱伝導片
５０        連接部
６０        スポンジブロック
７０        マットレス
【図１】
0003228210.tif 000003
【図２】
0003228210.tif 000004
【図３】
0003228210.tif 000005
【図４】
0003228210.tif 000006
【図５】
0003228210.tif 000007
【図６】
0003228210.tif 000008
【図７】
0003228210.tif 000009
【図８】
0003228210.tif 000010
【手続補正書】
【提出日】令和2年7月17日(2020.7.17)
【手続補正１】
【補正対象書類名】実用新案登録請求の範囲
【補正対象項目名】全文
【補正方法】変更
【補正の内容】
【実用新案登録請求の範囲】
【請求項１】
マット筐体と、熱伝導シートと、水を含侵するスポンジブロックとを含み、
該マット筐体は、四辺外周に他の涼感マット構造と結合するための結合孔を設けたジョイント部が設けられ、
内部には貯水空間を形成し、
該貯水空間内の四辺の側壁に多数の縦突条の補強リブを設けてその上端に熱伝導封止シートを締結するためのネジ穴を設けると共にマット筐体上縁に該ネジ穴を巡る密封溝を該貯水空間を囲んで設けて熱伝導封止シートを該ネジ穴を介して締結して該密封溝に配置したゴムテープにより貯水空間を封止し、
該貯水空間内のマット筐体一側辺に水の出入口と、密封パッキンと、密封蓋とを設け、
該貯水空間内の中心部に熱伝導片を配置すると共に該記熱伝導片を囲む多数の固定角柱を設け、その両側に上記スポンジブロックを多数配置して、
上記熱伝導封止シートから熱伝導片及びスポンジブロックを経てマット筐体内の貯留水に熱を伝動せしめる、
ことを特徴とする涼感マット構造。
【請求項２】
前記ジョイント部に連接部を配置して締結することにより、涼感マット構造をジョイントして背もたれマットとすることができることを特徴とする請求項１の涼感マット構造。
【請求項３】
前記多数の涼感マット構造は、組み合わせてマットレスにすることができることを特徴とする請求項１の涼感マット構造。
【請求項４】
前記熱伝導封止シートは、楔型ネジによって補強リブにあるネジ穴に締め付けられることを特徴とする請求項１の涼感マット構造。
【請求項５】
前記多数の固定角柱の高さは、熱伝導片の高さの半分以上の高さとしたことを特徴とする請求項１の涼感マット構造。
【請求項６】
前記スポンジブロックの長さは貯水空間の長さより長くしたことを特徴とする請求項１の涼感マット構造。
【手続補正書】
【提出日】令和2年7月17日(2020.7.17)
【手続補正１】
【補正対象書類名】実用新案登録請求の範囲
【補正対象項目名】全文
【補正方法】変更
【補正の内容】
【実用新案登録請求の範囲】
【請求項１】
マット筐体と、熱伝導シートと、水を含侵するスポンジブロックとを含み、
該マット筐体は、四辺外周に他の涼感マット構造と結合するための結合孔を設けたジョイント部が設けられ、
内部には貯水空間を形成し、
該貯水空間内の四辺の側壁に多数の縦突条の補強リブを設けてその上端に熱伝導封止シートを締結するためのネジ穴を設けると共にマット筐体上縁に該ネジ穴を巡る密封溝を該貯水空間を囲んで設けて熱伝導封止シートを該ネジ穴を介して締結して該密封溝に配置したゴムテープにより貯水空間を封止し、
該貯水空間内のマット筐体一側辺に水の出入口と、密封パッキンと、密封蓋とを設け、
該貯水空間内の中心部に熱伝導片を配置すると共に該熱伝導片を囲む多数の固定角柱を設け、その両側に上記スポンジブロックを多数配置して、
上記熱伝導封止シートから熱伝導片及びスポンジブロックを経てマット筐体内の貯留水に熱を伝動せしめる、
ことを特徴とする涼感マット構造。
【請求項２】
前記ジョイント部に連接部を配置して締結することにより、涼感マット構造をジョイントして背もたれマットとすることができることを特徴とする請求項１の涼感マット構造。
【請求項３】
前記多数の涼感マット構造は、組み合わせてマットレスにすることができることを特徴とする請求項１の涼感マット構造。
【請求項４】
前記熱伝導封止シートは、楔型ネジによって補強リブにあるネジ穴に締め付けられることを特徴とする請求項１の涼感マット構造。
【請求項５】
前記多数の固定角柱の高さは、熱伝導片の高さの半分以上の高さとしたことを特徴とする請求項１の涼感マット構造。
【請求項６】
前記スポンジブロックの長さは貯水空間の長さより長くしたことを特徴とする請求項１の涼感マット構造。